(57)【要約】【課題】  光学媒体に記憶されている情報へのアクセスを制御する。。【解決手段】  ドライブ１００は、ドライブコントローラ１０２、フォトセンサアレイ１０４、対物レンズ１０６、および光ディスク媒体１０８を備える。レンズは、光ディスクの表面から反射したレーザ光をフォトセンサアレイ上に合焦させる。ドライブコントローラはフォトセンサアレイから信号を受け取り、レンズ１０６の焦点を制御する。ホスト１１６はデータをドライブコントローラに送ると共に、ドライブコントローラからデータを受け取る。ドライブは、ホストの一部、たとえばコンピュータシステムやエンターテイメントシステムの内部ドライブであることができる。別法として、ドライブはホストの周辺にあり、ケーブル、ネットワークを介して、またはワイヤレスに情報を転送することができる。【選択図】図１
2005235381.tif 000002
【特許請求の範囲】
【請求項１】
光学媒体（１０８）の第１の表面（１１２、１１４）からの情報の提供を、前記光学媒体の第２の表面（１１０、１１２、１１４）上の必要とされる情報を読み出すことができない場合にドライブ（１００）により拒絶すること（３０６）
を含む方法。
【請求項２】
前記第１の表面から、前記第２の表面上の情報が必要なことを示す情報を読み出すことを
さらに含む請求項１記載の方法。
【請求項３】
前記光学媒体のデータ表面（１１２、１１４）からの情報の提供を、前記光学媒体の外部（external）表面（１１０）上の必要とされる情報を読み出すことができない場合にドライブにより拒絶すること
をさらに含む請求項１記載の方法。
【請求項４】
前記光学媒体の第１のデータ表面（１１２、１１４）からの情報の提供を、前記光学媒体の第２のデータ表面（１１２、１１４）上の必要とされる情報を読み出すことができない場合にドライブにより拒絶すること
をさらに含む請求項１記載の方法。
【請求項５】
光学媒体（１１８）であって、第１の表面（１１０、１１２、１１４）であって、第２の表面（１１０、１１２、１１４）上の情報が必要であることの指示（indication）を有する第１の表面（１１０、１１２、１１４）と、
該第１の表面上の前記指示に対応する前記第２の表面上の情報と
を備える光学媒体。
【請求項６】
前記第１の表面は内部データ表面（１１２、１１４）であり、
前記第２の表面は外部表面（１１０）である
請求項５記載の光学媒体。
【請求項７】
前記第１の表面は外部表面（１１０）であり、
前記第２の表面は内部データ表面（１１２、１１４）である
請求項５記載の光学媒体。
【請求項８】
前記第１の表面および前記第２の表面はそれぞれ、内部データ表面（１１２、１１４）である
請求項５記載の光学媒体。
【請求項９】
前記第２の表面上の前記情報は、
バーコード（２０８、２１０）
を含む
請求項５記載の光学媒体。
【請求項１０】
前記第１および第２の表面のいずれかの上の前記情報は、
制御ブロック内のデータ
を含む
請求項５記載の光学媒体。
【請求項１１】
前記第１および第２の表面のうちの少なくとも一方上の前記情報は、
グルーブウォブルにエンコードされたデータ
を含む
請求項５記載の光学媒体。
【請求項１２】
前記第１および第２の表面のいずれかの上の前記情報は、
他のデータ内に埋め込まれたデータ
を含む
請求項５記載の光学媒体。
【請求項１３】
前記第２の表面上の前記情報は、
可変情報
を含む
請求項５記載の光学媒体。
【請求項１４】
前記第２の表面上の前記情報は、
この光学媒体の一意の識別子
を含む
請求項１３記載の光学媒体。
【請求項１５】
ドライブ外部に、光学媒体（１０８）上の第１の表面（１１０、１１２、１１４）からの情報を、必要とされる情報を前記光学媒体上の第２の表面（１１０、１１２、１１４）上において読み出すことが可能な場合にのみ転送するコントローラ（１０２）
を備える光学媒体ドライブ。
【発明の詳細な説明】
【技術分野】
【０００１】
本発明は、包括的には、情報の記憶に使用される光学媒体および情報の記憶に使用される光学媒体を読み出すドライブに関する。
【背景技術】
【０００２】
状況によっては、光学媒体（たとえば、光ディスクや光カード）のドライブは、普通ならば互換性のある光学媒体上のデータへのアクセスを拒絶するように設計することができる。
たとえば、エンターテイメントコンテンツを有する光ディスクによっては地理的制限があるものがあり、特定の地理的領域において販売されるドライブが、その特定の地理的領域内での流通が意図されていない媒体の読み出しを拒絶する場合がある。
別の例として、コピープロテクションのために、ドライブは不適切な媒体上にあるデータの読み出しを拒絶する場合がある。
たとえば、何らかのタイプのデータは読み取り専用媒体上にのみ合法的に存在することができ、ドライブは、そのデータが書き込み可能媒体上にある場合にアクセスを拒絶することができる。
【発明の開示】
【発明が解決しようとする課題】
【０００３】
光学媒体に記憶されている情報へのアクセスを制御する継続したニーズがある。
【課題を解決するための手段】
【０００４】
ドライブは、光学媒体上の第１の表面からの情報の転送を、必要とされる情報が媒体の第２の表面上に存在しない場合に拒絶する。
【発明を実施するための最良の形態】
【０００５】
図１および図２では、光ディスクを例として使用する。
本発明は、光カード等、他の光学媒体にも同等に適用することが可能である。
図１では、ドライブ１００は、ドライブコントローラ１０２、フォトセンサアレイ１０４、対物レンズ１０６、および光ディスク媒体１０８を備える。
レンズは、光ディスクの表面から反射したレーザ光をフォトセンサアレイ上に合焦させる。
ドライブコントローラはフォトセンサアレイから信号を受け取り、レンズ１０６の焦点を制御する。
ホスト１１６はデータをドライブコントローラに送ると共に、ドライブコントローラからデータを受け取る。
ドライブは、ホストの一部、たとえばコンピュータシステムやエンターテイメントシステムの内部ドライブであることができる。
別法として、ドライブはホストの周辺にあり、ケーブル、ネットワークを介して、またはワイヤレスに情報を転送することができる。
【０００６】
図１における光ディスク媒体は、外部表面１１０を備えた保護外層および少なくとも１つの内部データ表面１１２、１１４を有する。
複数のデータ表面がある場合、レンズに最も近い内部データ表面は部分的に反射性を有する。
図１では、レンズ１０６は内部データ表面１１２に焦点を有するものとして示されている。
参照番号１０６Ａおよび１０６Ｂは、焦点が内部データ表面１１４または（任意選択で）外部表面１１０のそれぞれに位置決めされることになる２つの代替の位置に位置決めされたレンズ１０６を示す。
【０００７】
媒体によっては、少なくとも１つのデータ表面上のデータを媒体から読み出してホストに送るために、補助的な情報が存在し、ドライブにより可読である必要がある。
ホスト１１６が、補助的な情報の存在を必要とする光ディスク媒体の内部データ表面１１２、１１４のうちの少なくとも一方からのデータを必要とする場合、ドライブコントローラ１０２は、ドライブが別の表面１１０、１１２、１１４上の必要とされる補助的な情報を読み出すことができない場合は、必要なデータをホストに提供することを拒絶する。
たとえば、ドライブは、必要とされる情報がデータ表面１１２上に存在し可読であるのでない場合はデータ表面１１４からのデータの外部転送を拒絶することができる。
【０００８】
ドライブは、補助的な情報が必要とされることを先験的に知ることができ、または補助的な情報が必要とされるか否かを媒体から判断することができる。
たとえば、補助的な情報の必要条件（requirement）は規格の一部として指定する、ドライブコントローラにおけるファームウェアによって判断する、または媒体の少なくとも１つの表面上の情報により指定することができる。
１つの代替として、ドライブは、特定の媒体が読み出し中であるときに、必要とされる情報を常にチェックするようにプログラムすることができる。
たとえば、書き込み可能媒体が読み出し中であるときは常に、ドライブは、必要とされる補助的な情報が存在するか否かを自動的に判断することができる。
別法として、少なくとも１つの内部データ表面１１２、１１４上の情報は、補助的な情報が少なくとも１つの他の表面上に存在する必要があり、かつ補助的な情報がドライブにより可読でなければならないという指示を含むことができる。
たとえば、内部データ表面１１２上の情報は、補助的な情報が外部表面１１０に存在する必要があり、かつ外部表面上の補助的な情報がドライブにより可読でなければならないことを示すことができる。
別法として、たとえば、内部データ表面１１２上の情報は、補助的な情報が内部データ表面１１４上に存在する必要があり、かつ内部データ表面１１４上の補助的な情報がドライブにより可読でなければならないことを示すことができる。
【０００９】
補助的な情報は、単一のシンボル、複数のシンボル、またはデータであることができる。
同様に、補助的な情報の必要条件が媒体の表面上の情報により判断される場合、補助的な情報の必要条件を示す情報もまた単一のシンボル、複数のシンボル、またはデータであることができる。
補助的な情報はたとえば、地理的領域を表すシンボル、またはたとえば、コピーコントロール情報を示すデータであることができる。
補助的な情報はディスクのすべてのコピーで同一であっても、または可変であってもよい。
たとえば、補助的な情報は、個々の媒体毎に一意のシリアルナンバーであることができる。
補助的な情報が必要なことを示す情報は、補助的な情報のいくつかの特徴を指定しても、またはしなくてもよい。
たとえば、１つの表面上のシンボルの存在により、不特定の情報が別の表面上に存在しなければならないことを示すことができる。
たとえば、シンボルの存在により、ドライブコントローラファームウェアをトリガして、ドライブコントローラファームウェアに指定されたフォーマットおよびロケーションを有する補助的な情報を探すことができる。
別法として、たとえば、内部表面上の情報が、特定のシンボル（たとえば、商標または企業ロゴ）が存在しなければならないことを指定する、または特定の特徴を有するデータ（たとえば、指定数のビットまたは桁を有するシリアルナンバー、またはデータ表面上のデータの特定のチェックサム）が存在しなければならないことを指定することができる。
【００１０】
図２は、図１に示す光ディスク１０８をさらに示すと共に、外部表面１１０上に補助的な情報の２つの例を示す。
ディスクは、取付穴２００および外縁２０２を有する。
内部表面上のデータ（図１、１１２、１１４）は、内径２０４と外径２０６の間のエリアに存在する。
図２は、外部表面１１０上のバーコードデータ２０８、２１０の形態の補助的な情報の２つの例を示す。
バーコードデータ２０８は、内部表面上のデータの外径２０６外にある。
バーコードデータ２１０は、内部表面上のデータの内径２０４内にある。
バーコードデータ２０８、２１０のフォーマットは重要ではない。
バーコードデータ２０８は、バーの幅にエンコードされた情報の例を示す。バーコードデータ２１０は、バーの間隔にエンコードされた情報の例を示す。
【００１１】
図２はバーコードにエンコードされる補助的な情報を示すが、一般に、唯一の必要条件はドライブにより可読な情報であることである。
光学的に検出可能なマークまたはシンボルは多くの異なる方法で実施することができる。
たとえば、外部表面の場合、マークまたはシンボルはラベルにより外部表面に貼り付けても、外部表面上に直接プリントしても（たとえば、インクジェットプリンタを使用して、またはシルクスクリーニングにより）、または外部表面にエッチングしても（化学的に、または高出力レーザの使用により）よく、または外部表面の一部を感光材料で被覆して、次いで、マークまたはシンボルを画定するパターンに露出した後に感光材料を化学的に現像しても、不透明または反射性材料で被覆して、被覆を部分的に除去してもよい（たとえば、化学的に、または高出力レーザを使用してアブレーションにより）。
２００３年７月１０日出願の米国特許出願第１０／６１８，１１５号には、光記憶媒体上の光学的に検出可能なマークについての様々な代替が開示されている。
【００１２】
外部表面上の補助的な情報を読み出すには、レンズを外部表面上に焦点合わせする必要がない場合があることに留意する。
外部表面上の補助的な情報（シンボルまたはデータマーク）は、内部データ表面上のデータマークよりもはるかに大きい場合があり、したがって焦点合わせされていない場合であっても外部表面上の情報を読み出すことが可能な場合がある。
【００１３】
補助的な情報、または補助的な情報の必要条件を指定するデータは、内部データ表面上に存在してもよい。
補助的な情報、または補助的な情報の必要条件を指定するデータは、記録または型押しされたユーザデータの一部であっても、記録または型押しされたユーザデータ内にエンコードされても、制御データ構造に存在しても、またはグルーブウォブル等、媒体の内部表面の物理的な属性にエンコードされてもよい。
たとえば、第１のデータを第２のデータ内にエンコードすることができる１つの方法は、データを誤り修正ブロックの属性内にエンコードするというものである。
たとえば、参照により本明細書に援用される米国特許第６，０６４，７４８号および同第６，２７８，３８６号を参照のこと。
データが制御データ構造に存在することができる方法の１つの例は、制御ブロック内のデータである。
たとえば、米国特許第６，３３０,２１０号を参照のこと。
制御ブロック内の２ビットフィールドを使用して、補助的データ必要条件およびどの表面かを指定することができる。
別法として、たとえば、光ディスク媒体によってはグルーブおよびランドを有するものがあり、データはグルーブ内の正弦波半径方向の変動（variation）にエンコードされる。
たとえば、型押しされたＤＶＤ媒体は、データブロックアドレスをグルーブウォブルにエンコードするものもあり、これはＡＤＩＰ（Address In Pre-groove）と呼ばれる。
１つの内部データ表面のデータが、異なる内部データ表面のグルーブウォブルにエンコードされた補助的なデータを指定することができる。
たとえば、内部データ表面上のデータは、エンターテイメントコンテンツ提供業者からの型押しデータ層においてのみ存在するであろうグルーブウォブルにエンコードされた補助的なデータを指定することができる。
書き込み可能媒体は、グルーブウォブルにエンコードされた必要な補助的なデータを有さず、したがって、エンターテイメントデータを書き込み可能媒体から読み出すことができない。
【００１４】
図３は方法の例を示す。
ステップ３００において、ドライブは、指定の表面からの情報を転送することができるようになる前に、補助的な情報が必要であるか否かを判断する。
補助的な情報の必要条件は媒体以外の何らかのものから得ることができるため、ステップ３００は別個の明示的な方法ステップとして必要ない場合がある。
たとえば、補助的な情報の必要条件は、すべての媒体の規格の一部として指定することができる。
ステップ３０２において必要とされる補助的な情報がドライブにより可読である場合、ステップ３０４において、ドライブはデータをディスク表面からドライブ外部に転送する。
ステップ３０２において必要とされる補助的な情報がドライブにより可読ではない場合、ステップ３０６において、ドライブはデータをディスク表面からドライブ外部に転送することを拒絶する。
【００１５】
ドライブから外部に転送されるデータはアナログ情報であってもよいことに留意する。
たとえば、消費者エンターテイメント媒体の場合、ドライブ出力信号はアナログのオーディオまたはビデオであり得る。
このような媒体の場合、ドライブは、必要とされる補助的な情報を媒体の１つの表面から読み出すことができない場合にアナログ出力信号の提供を拒絶することができる。
【図面の簡単な説明】
【００１６】
【図１】本発明を実施することができるシステムの例を示す。
【図２】２例の情報がディスクの外部表面にある、図１に示す光ディスクの平面図である。
【図３】方法の例のフローチャートである。
【符号の説明】
【００１７】
１００・・・ドライブ、
１０２・・・ドライブコントローラ、
１０４・・・フォトセンサアレイ、
１０６・・・対物レンズ、
１０８・・・光ディスク媒体、
１１０・・・外部表面、
１１２，１１４・・・内部データ表面、
１１６・・・ホスト、
【図１】
2005235381.tif 000003
【図２】
2005235381.tif 000004
【図３】
2005235381.tif 000005